(57)【要約】      （修正有）【課題】携帯端末の不具合に関する問診及び改善策の提案等を行うことが可能な技術を提供する。【解決手段】携帯端末の不具合に関する問診を行う問診装置であって、携帯端末の不具合を切り分けるための質問及び該質問に対する回答の候補を含む質問情報と、携帯端末の不具合を改善するための複数の改善提案であって該複数の改善提案の各々が質問に対する回答の組み合わせパターンに対応づけられて格納される改善提案情報とを記憶し、質問情報から質問及び質問に対する回答の候補を取得して画面に表示し、画面に表示された質問に対する回答の候補の中から質問に対する回答の選択を受け付け、改善提案情報から、選択された質問に対する回答の組み合わせパターンに対応する１以上の改善提案を取得して画面に表示する。【選択図】図８
2020191105.tif 000002
【特許請求の範囲】
【請求項１】
携帯端末の不具合に関する問診を行う問診装置であって、
携帯端末の不具合を切り分けるための質問及び該質問に対する回答の候補を含む質問情
報と、携帯端末の不具合を改善するための複数の改善提案であって該複数の改善提案の各
々が前記質問に対する回答の組み合わせパターンに対応づけられて格納される改善提案情
報とを記憶する記憶部と、
前記質問情報から前記質問及び前記質問に対する回答の候補を取得して画面に表示し、
前記画面に表示された前記質問に対する回答の候補の中から前記質問に対する回答の選択
を受け付け、前記改善提案情報から、選択された前記質問に対する回答の組み合わせパタ
ーンに対応する１以上の改善提案を取得して前記画面に表示するＵＩ部と、
を有する問診装置。
【請求項２】
前記ＵＩ部は、前記画面のうち第１領域に、前記質問及び前記質問に対応する回答の候
補を表示し、前記画面のうち第２領域に、前記第１領域に表示されている該質問より前に
回答の選択を受け付けた質問への回答を、回答を受け付けた順に並べて表示する、
請求項１に記載の問診装置。
【請求項３】
前記ＵＩ部は、前記１以上の改善提案を表示する場合に、
前記１以上の改善提案のうち、操作手順を表示する改善提案の選択を受け付ける選択
エリア、及び、該選択エリアで改善提案が選択された場合に、選択された改善提案の操作
手順を表示する操作手順表示エリアを前記画面に表示し、
前記操作手順表示エリアには、該操作手順に従って操作した場合に不具合が改善した
ことの入力を受け付ける第１オブジェクト、該操作手順に従って操作しても不具合が改善
しないことの入力を受け付ける第２オブジェクト、表示された改善提案の操作手順を実施
しないことの入力を受け付ける第３オブジェクト、及び、前記１以上の改善提案の表示を
中止して所定のサービスメニューに遷移させることの入力を受け付ける第４オブジェクト
を更に表示し、
前記操作手順表示エリアに、前記選択エリアにおいて選択された改善提案の操作手順
が表示されてから、前記第２オブジェクト及び第３オブジェクトのうちいずれか一方に入
力が行われるまでの間、前記第４オブジェクトへの入力ができない状態に遷移させる、
請求項１又は２に記載の問診装置。
【請求項４】
前記質問情報には、前記質問に対する回答の候補を前記画面に表示する際の表示順序を
示す情報が含まれており、
前記ＵＩ部は、前記画面に前記質問に対する回答の候補を表示する際に、前記表示順序
を示す情報に示される順序に従って回答の候補を表示する、
請求項１乃至３のいずれか一項に記載の問診装置。
【請求項５】
前記ＵＩ部は、前記質問に対して選択された回答と、前記画面に前記質問に対する回答
の候補が表示されてから、該質問に対する回答の選択が行われるまでの第１応答時間とを
対応づけて履歴情報に格納する、
請求項１乃至４のいずれか一項に記載の問診装置。
【請求項６】
前記ＵＩ部は、更に、
前記１以上の改善提案のうち操作手順を表示した改善提案と、
該操作手順に従って操作した場合に不具合が改善したことの入力が行われたこと、該
操作手順に従って操作しても不具合が改善しないことの入力が行われたこと、前記１以上
の改善提案の表示を中止して所定のサービスメニューに遷移させることの入力が行われた
こと、又は、表示された改善提案の操作手順を実施しないことの入力が行われたことと、
前記画面に前記操作手順が表示されてから、該操作手順に従って操作した場合に不具
合が改善したこと、該操作手順に従って操作しても不具合が改善しないこと、前記１以上
の改善提案の表示を中止して所定のサービスメニューに遷移させること、又は、表示され
た改善提案の操作手順を実施しないことの入力が行われるまでの第２応答時間と、
を対応づけて前記履歴情報に格納する、
請求項５に記載の問診装置。
【請求項７】
前記履歴情報を分析することで、前記質問に対応する回答が選択された確率が、前記質
問に対応する回答の候補の中で所定の確率以上である回答が存在するか否かを判定し、選
択された確率が所定の確率以上である回答が存在すると判定した場合、前記画面において
、該回答が回答の候補として上位に表示されるようにするために、前記質問情報に含まれ
る表示順序を変更する変更部を有する、
請求項５又は６に記載の問診装置。
【請求項８】
携帯端末の不具合に関する問診を行う問診装置が行う問診方法であって、
携帯端末の不具合を切り分けるための質問及び該質問に対する回答の候補を含む質問情
報と、携帯端末の不具合を改善するための複数の改善提案であって該複数の改善提案の各
々が前記質問に対する回答の組み合わせパターンに対応づけられて格納される改善提案情
報と記憶部に記憶させるステップと、
前記質問情報から前記質問及び前記質問に対する回答の候補を取得して画面に表示し、
前記画面に表示された前記質問に対する回答の候補の中から前記質問に対する回答の選択
を受け付け、前記改善提案情報から、選択された前記質問に対する回答の組み合わせパタ
ーンに対応する１以上の改善提案を取得して前記画面に表示するステップと、
を有する問診方法。
【請求項９】
携帯端末の不具合に関する問診を行うプログラムであって、
コンピュータを、
携帯端末の不具合を切り分けるための質問及び該質問に対する回答の候補を含む質問情
報と、携帯端末の不具合を改善するための複数の改善提案であって該複数の改善提案の各
々が前記質問に対する回答の組み合わせパターンに対応づけられて格納される改善提案情
報とを記憶する記憶手段と、
前記質問情報から前記質問及び前記質問に対する回答の候補を取得して画面に表示し、
前記画面に表示された前記質問に対する回答の候補の中から前記質問に対する回答の選択
を受け付け、前記改善提案情報から、選択された前記質問に対する回答の組み合わせパタ
ーンに対応する１以上の改善提案を取得して前記画面に表示するＵＩ手段と、
して機能させるためのプログラム。
【発明の詳細な説明】
【技術分野】
【０００１】
本発明は、問診装置、問診方法及びプログラムに関する。
【背景技術】
【０００２】
現在、携帯端末の契約、販売及び故障対応を行う店舗には、使用中の携帯端末に不具合
があると訴える顧客が多く来店している。不具合を訴える顧客が来店した場合、店員は、
顧客から不具合の内容をヒアリングし、自身の経験に基づいて不具合の原因を推定すると
いった対応や、専用のテスタに接続することで故障有無の診断を行うといった対応を行う
。なお、特許文献１には、携帯端末の不具合を診断する技術が開示されている。
【先行技術文献】
【特許文献】
【０００３】
【特許文献１】特開２００３−０５１８８２号公報
【発明の概要】
【発明が解決しようとする課題】
【０００４】
近年流行しているスマートフォンは、従来の携帯端末と比較すると機能が複雑化してい
ることから、様々な要因で不具合が生じている。また、単なるハードウェア故障に留まら
ず、ソフトウェアに起因する不具合も多く発生している。そのため、店員が店舗にて不具
合の要因の切り分けを行う場合、要因を迅速に特定することが出来るか否かは店員のスキ
ルに大きく依存しているのが現実である。そのため、スキルの高い一部の店員のみが対応
せざるを得ないことにより顧客の待ち時間が長くなるといった問題や、十分なスキルを有
しない店員が対応することにより不具合要因の特定や対応策の提案を上手に行うことがで
きず、顧客が納得せずにトラブルに繋がるといった問題等が生じている。なお、上記の問
題は、スマートフォンに限られず、携帯端末全般にも生じ得る。
【０００５】
本発明は上記に鑑みてなされたものであって、携帯端末の不具合に関する問診及び改善
策の提案等を行うことが可能な技術を提供することを目的とする。
【課題を解決するための手段】
【０００６】
本発明の一態様に係る問診装置は、携帯端末の不具合に関する問診を行う問診装置であ
って、携帯端末の不具合を切り分けるための質問及び該質問に対する回答の候補を含む質
問情報と、携帯端末の不具合を改善するための複数の改善提案であって該複数の改善提案
の各々が質問に対する回答の組み合わせパターンに対応づけられて格納される改善提案情
報とを記憶する記憶部と、質問情報から質問及び質問に対する回答の候補を取得して画面
に表示し、画面に表示された質問に対する回答の候補の中から質問に対する回答の選択を
受け付け、改善提案情報から、選択された質問に対する回答の組み合わせパターンに対応
する１以上の改善提案を取得して画面に表示するＵＩ部と、を有する。
【発明の効果】
【０００７】
本発明によれば、携帯端末の不具合に関する問診及び改善策の提案等を行うことが可能
な技術を提供することができる。
【図面の簡単な説明】
【０００８】
【図１】実施形態に係る問診装置の一例を示す図である。
【図２】問診サーバ及び受付端末のハードウェア構成例を示す図である。
【図３】問診サーバの機能ブロック構成例を示す図である。
【図４】質問情報の一例を示す図である。
【図５】改善提案情報の一例を示す図である。
【図６】履歴情報の一例を示す図である。
【図７】受付端末の機能ブロック構成例を示す図である。
【図８】問診装置が行う動作例を示すフローチャートである。
【図９】受付端末に表示される画面の具体例を示す図である。
【図１０】受付端末に表示される画面の具体例を示す図である。
【図１１】受付端末に表示される画面の具体例を示す図である。
【図１２】改善提案を表示する画面の変形例を示す図である。
【発明を実施するための形態】
【０００９】
添付図面を参照して、本発明の好適な実施形態について説明する。なお、各図において
、同一の符号を付したものは、同一又は同様の構成を有する。
【００１０】
＜システム構成＞
図１は、実施形態に係る問診装置１の一例を示す図である。実施形態に係る問診装置１
は、携帯端末３０の不具合に関する問診を行う装置であり、問診サーバ１０と、店舗内に
設置される受付端末２０とを含む。問診サーバ１０及び受付端末２０は、無線又は有線の
ネットワークを介して相互に通信することができる。受付端末２０及び携帯端末３０は、
例えばＵＳＢ（Universal Serial Bus）ケーブル等を介して相互に通信することができる
。
【００１１】
店員は、不具合を訴える顧客が来店すると、顧客の携帯端末３０を受付端末２０に接続
し、受付端末２０を用いて自動診断を行うと共に、受付端末２０が備える画面（例えばタ
ッチパネル）に表示される質問及び回答の候補を参照しながら、回答を顧客と一緒に入力
していく。質問への回答の入力が全て完了すると、受付端末２０の画面には、自動診断の
結果及び入力された回答に基づく改善方法の提案（改善提案）、提案された改善方法を携
帯端末３０で実行するための操作手順、及び、修理や補償サービス等に関する所定のサー
ビスメニュー等が表示される。本実施形態では、携帯端末３０はスマートフォンであるこ
とを想定しているが、本実施形態がこれに限定されるものではない。
【００１２】
問診サーバ１０は、１又は複数のサーバから構成されていてもよいし、クラウドサーバ
や仮想サーバを用いて構成されていてもよい。問診サーバ１０は、受付端末２０の画面に
表示すべき質問や回答の候補をＤＢ（Database）から取得し、受付端末２０に表示させる
画面を生成して送信する機能や、受付端末２０に入力された質問に対する回答を、ＤＢに
履歴情報として記録する機能等を有する。
【００１３】
受付端末２０は、例えば、タブレット端末やノート型のパーソナルコンピュータである
。問診装置１には、複数の受付端末２０が接続されていてもよい。また、問診サーバ１０
には、１つの店舗に設置された受付端末２０のみが接続されるのではなく、複数の店舗に
設置された複数の受付端末２０が接続されていてもよい。
【００１４】
＜ハードウェア構成＞
図２は、問診サーバ１０及び受付端末２０のハードウェア構成例を示す図である。問診
サーバ１０及び受付端末２０は、ＣＰＵ（Central Processing Unit）１１、メモリ等の
記憶装置１２、有線又は無線通信を行う通信ＩＦ（Interface）１３、入力操作を受け付
ける入力デバイス１４、及び情報の出力を行う出力デバイス１５を有する。入力デバイス
１４は、例えばタッチパネル又はキーボード等であり、出力デバイス１５は、例えばディ
スプレイ等である。
【００１５】
＜機能ブロック構成＞
図３は、問診サーバ１０の機能ブロック構成例を示す図である。問診サーバ１０は、通
信部１０１と、表示制御部１０２と、入力受付部１０３と、診断部１０４と、変更部１０
５と、ＤＢ１０６とを有する。通信部１０１と、表示制御部１０２と、入力受付部１０３
と、診断部１０４と、変更部１０５とは、問診サーバ１０のＣＰＵ１１が、記憶装置１２
に記憶されたプログラムを実行することにより実現することができる。また、当該プログ
ラムは、記憶媒体に格納することができる。当該プログラムを格納した記憶媒体は、非一
時的な記憶媒体であってもよい。非一時的な記憶媒体は特に限定されないが、例えば、Ｕ
ＳＢメモリ又はＣＤ−ＲＯＭ等の記憶媒体であってもよい。また、ＤＢ１０６は、問診サ
ーバ１０が備える記憶装置１２を用いて実現することができる。
【００１６】
ＤＢ１０６には、質問情報１０６ａと、改善提案情報１０６ｂと、履歴情報１０６ｃと
が格納される。質問情報１０６ａには、携帯端末３０の不具合を切り分けるために確認す
べき複数の質問及び各質問に対する回答の選択肢（候補）が格納されている。改善提案情
報１０６ｂには、携帯端末３０の不具合に対する想定原因及び改善提案を示すメッセージ
が格納される。当該複数の改善提案の各々は、少なくとも１以上の“質問に対する回答の
組み合わせパターン”に対応づけられている。質問に対する回答の組み合わせパターンと
は、不具合の切り分けに用意されている全ての質問と各質問について選択可能な回答につ
いての全ての組み合わせパターンを意味している。
【００１７】
履歴情報１０６ｃには、受付端末２０の画面に入力された質問に対する回答と、受付端
末２０の画面に操作手順を表示した改善提案と、操作手順に従って各改善提案を実行した
際に不具合が改善したか否か等の結果とが格納される。また、履歴情報１０６ｃには、更
に、受付端末２０の画面において、質問に対する回答が選択されるまでに要した時間（第
１応答時間）が格納される。また、履歴情報１０６ｃには、操作手順に従って操作した場
合に不具合が改善したか否か等の入力が行われるまでの時間（第２応答時間）が格納され
る。
【００１８】
通信部１０１は、受付端末２０からデータを受信して入力受付部１０３又は診断部１０
４に渡す。また、通信部１０１は、受付端末２０に送信すべきデータを受付端末２０に送
信する。
【００１９】
表示制御部１０２は、受付端末２０に表示させる各種情報及び画像等の表示の制御を行
う。例えば、表示制御部１０２は、質問情報１０６ａから質問及び質問に対する回答の選
択肢を質問情報１０６ａから取得して受付端末２０の画面に表示させる。また、表示制御
部１０２は、改善提案情報１０６ｂから、選択された質問に対する回答の組み合わせパタ
ーンに対応する１以上の改善提案を取得して受付端末２０の画面に表示させる。
【００２０】
入力受付部１０３は、受付端末２０の画面に表示された質問に対する回答の選択肢の中
から質問に対する回答の選択を受け付ける。また、受付端末２０の画面において、質問に
対する回答が選択されるまでに要した時間（第１応答時間）と、改善提案に従って操作し
た場合に不具合が改善したか否か等の入力が行われるまでの時間（第２応答時間）とを測
定して履歴情報１０６ｃに格納する。
【００２１】
診断部１０４は、携帯端末３０のハードウェアに関する異常の有無、及び携帯端末３０
にインストールされたソフトウェアに関する異常の有無を、例えば、携帯端末３０のオペ
レーティングシステムが備えるＡＰＩ等を用いて診断する。
【００２２】
変更部１０５は、履歴情報１０６ｃを分析することで、質問に対する回答の選択肢の中
で高い確率で選択される回答の選択肢の存在や、高い確率かつ短時間で選択される回答の
選択肢の存在有無を確認する。このような回答の選択肢が存在する場合、変更部１０５は
、質問情報１０６ａを書き換えることで、当該回答の選択肢を受付端末２０の画面の中で
上位（上段）に表示するように変更する処理や、質問自体を選択肢ごと削除する処理等を
行う。なお、変更部１０５は、これらの処理をリアルタイムで行うのではなく、履歴情報
１０６ｃにある程度の履歴が蓄積されてきた時点でバッチ処理としてこれらの処理を行う
。
【００２３】
図４は、質問情報１０６ａの一例を示す図である。質問情報１０６ａには、質問と当該
質問に対する回答の選択肢が、ツリー構造（木構造）により関連づけられて格納されてい
る。図４の例では、質問情報１０６ａは３階層のツリー構造を用いて構成されているが、
あくまで一例であり、階層に制限は無い。
【００２４】
質問情報１０６ａは、携帯端末３０の機種ごとに定義されるようにしてもよい。携帯端
末３０に生じる不具合の内容は機種ごとに偏りがあることが多いため、質問情報１０６ａ
を携帯端末３０の機種ごとに用意することで、機種に応じた質問及び回答の選択肢を用意
することが可能になる。また、特定の機種では殆ど発生しないような不具合に関する質問
については質問情報１０６ａに含めないようにすることで、問診時の質問項目が多すぎる
ことによる顧客への負担を減らすことができる。図４の例は、機種Ｘに関する質問情報１
０６ａの例を示している。
【００２５】
図４の例では、１階層目の質問「Ｑ１：お困りの内容を選択してください」に対する回
答の選択肢として「Ａ１：電源に関わること」、「Ａ２：電池に関わること」、「Ａ３：
画面に関わること」、「Ａ４：通信に関わること」の４択が示される。また、これらの選
択肢のうち「１：電源に関わること」が選択された場合、２階層目の質問「Ｑ２：お困り
の内容を選択してください」に対する回答の選択肢として「Ａ１−１：電源が入らない」
、「Ａ１−２：電源を落とせない」の２択が示される。このように、質問情報１０６ａは
、徐々に質問内容を詳細化していくことで、不具合の詳細を顧客から聞き出せるように構
成されている。
【００２６】
なお、表示制御部１０２は、受付端末２０の画面に複数の回答の選択肢を表示する際、
表示順序を示す情報に示される順序に従って回答の選択肢を表示する。表示順序を示す情
報とは、選択肢に付与される番号（Ａ−１、Ａ１−２等）である。例えば図４の例では、
２階層目の選択肢として「Ａ１−１：電源が入らない」、「Ａ１−２：電源を落とせない
」が存在する。この場合、受付端末２０の画面には、「Ａ１−１：電源が入らない」、「
Ａ１−２：電源を落とせない」の順に選択肢が表示される。
【００２７】
図５は、改善提案情報１０６ｂの一例を示す図である。改善提案情報１０６ｂには、携
帯端末３０の不具合の想定原因及び改善提案が、いずれかの各質問に対する回答の組み合
わせパターンに対応づけられている。改善提案情報１０６ｂも、質問情報１０６ａと同様
に携帯端末３０の機種ごとに定義されるようにしてもよい。携帯端末３０に生じる不具合
の内容は機種ごとに偏りがあることが多いため、改善提案情報１０６ｂを携帯端末３０の
機種ごとに用意することで、機種ごとに適切な改善提案を表示することが可能になる。図
５の例は、機種Ｘに関する改善提案情報１０６ｂの例を示している。
【００２８】
「改善提案番号」は、受付端末２０に改善提案を表示する際における、改善提案の表示
順序を示す情報である。「想定原因」には、不具合が生じた原因として想定される原因を
示すメッセージが格納される。「改善提案の内容」には、改善提案の具体的内容、改善提
案を実行する際の携帯端末３０の操作手順を受付端末２０の画面に表示するためのメッセ
ージ、及び操作を説明するための画像データ等が格納される。「回答の組み合わせパター
ン」には、改善提案に対応する回答の組み合わせパターンが格納される。
【００２９】
例えば図５の例では、改善提案番号「Ｐ５」の「回答の組み合わせパターン」に「機種
Ｘ−（Ａ４）−（Ａ４−１）−（Ａ４−１−１）」が格納されている。これは、問診にお
いて、携帯端末３０が機種Ｘであり、１階層目の質問に対してＡ４の回答（通信に関わる
こと）が選択され、２階層目の質問に対してＡ４−１の回答（ＬＴＥ通信ができない）が
選択され、３階層目の質問に対してＡ４−１−１の回答（通信が全くできない）が選択さ
れた場合、改善提案番号「Ｐ５」の改善提案が受付端末２０の画面に表示されることを意
味している。なお、改善提案番号「Ｐ４」の「回答の組み合わせパターン」にも「機種Ｘ
−（Ａ４）−（Ａ４−１）−（Ａ４−１−１）」が格納されている。つまり、問診におい
て「機種Ｘ−（Ａ４）−（Ａ４−１）−（Ａ４−１−１）」のパターンで回答が選択され
た場合、改善提案として、改善提案番号「Ｐ４」が最初に表示され、その次に改善提案番
号「Ｐ５」が表示されることになる。
【００３０】
図６は、履歴情報１０６ｃの一例を示す図である。「診断番号」は、受付端末２０にて
問診が行われる度に一意に払い出される番号である。「質問番号／改善提案番号」には、
顧客が回答した質問の番号（図４のＱ１、Ｑ２、Ｑ３等）及び受付端末２０に表示された
改善提案の番号（図５のＰ１〜Ｐ６等）が格納される。なお、「Ｑ０（ＯＳ（Operating 
System）、メーカ名、機種名）は問診の最初に顧客に質問する項目であり、「Ｑ９９（ス
タッフ満足度）」は問診完了時に顧客に質問する項目である。
【００３１】
「回答内容／対応結果」には、質問に対する回答として選択された選択肢及び各改善提
案に対する対応結果を示す情報が格納される。改善提案に対する対応結果としては、具体
的には、操作手順に従って操作した場合に不具合が改善したこと、操作手順に従って操作
しても不具合が改善しなかったこと、画面に表示された改善提案を実施しないこと（つま
り、表示された改善提案の操作手順を行わずに他の改善提案の操作手順を行いたいこと）
、又は、改善提案の表示を中止して所定のサービスメニューに遷移させることのいずれか
であってもよい。「応答時間」には、質問が受付端末２０に表示されてから当該質問に対
する回答が入力されるまでの時間（第１応答時間）、及び、受付端末２０の画面に改善提
案が表示されてから、当該改善提案に対する対応結果が入力されるまでの時間（第２応答
時間）が入力受付部１０３にて測定されて格納される。
【００３２】
図７は、受付端末２０の機能ブロック構成例を示す図である。受付端末２０は、通信部
２０１と、表示部２０２と、入力部２０３とを有する。通信部２０１と、表示部２０２と
、入力部２０３とは、受付端末２０のＣＰＵ１１が、記憶装置１２に記憶されたプログラ
ムを実行することにより実現することができる。また、当該プログラムは、記憶媒体に格
納することができる。当該プログラムを格納した記憶媒体は、非一時的な記憶媒体であっ
てもよい。非一時的な記憶媒体は特に限定されないが、例えば、ＵＳＢメモリ又はＣＤ−
ＲＯＭ等の記憶媒体であってもよい。
【００３３】
通信部２０１は、問診サーバ１０からデータを受信して表示部２０２に渡す。また、通
信部２０１は、入力部２０３に入力されたデータを問診サーバ１０に送信する。
【００３４】
表示部２０２は、受付端末２０の出力デバイス１５（ディスプレイ）に表示させる各種
情報及び画像等の表示の制御を行う。入力部２０３は、受付端末２０の入力デバイス１４
（例えばタッチパネル）への入力を受け付ける。
【００３５】
なお、本実施形態では、問診装置１は、受付端末２０のみから構成されることとしても
よい。例えば、問診サーバ１０が備える各種の機能部を全て受付端末２０に実装すること
で、受付端末２０を本実施形態における問診装置１として動作させることができる。
【００３６】
また、本実施形態では、表示制御部１０２、入力受付部１０３、表示部２０２及び入力
部２０３をまとめて「ＵＩ（User Interface）部」と称してもよい。
【００３７】
＜動作例＞
（問診に関する動作例）
図８は、問診装置１が行う動作例を示すフローチャートである。また、図９〜図１１は
、受付端末２０に表示される画面の具体例を示す図である。図８〜図１１を参照しながら
、問診装置１が行う動作例を説明する。なお、質問情報１０６ａには、図４に示すデータ
が格納されている前提で説明する。
【００３８】
ステップＳ１１で、受付端末２０の画面にて、問診を行う携帯端末３０の機種の入力を
受け付ける。携帯端末３０には膨大な機種が存在することから、機種の入力は、携帯端末
３０に使用されているＯＳの選択、メーカ名の選択及び機種番号の選択の３つのステップ
で行われるようにしてもよい。図９（ａ）に、ＯＳの選択を受け付ける画面の一例を示す
。図９（ａ）に示す画面には、問診の進捗を表示する表示エリアＡ１０１と、ＯＳの選択
を受け付ける表示エリアＡ１０２とが含まれている。
【００３９】
ステップＳ１２で、受付端末２０の画面にて、不具合の症状の入力を受け付ける。図９
（ｂ）に、不具合の症状の入力を受け付ける画面の一例を示す。不具合の症状の入力を受
け付ける画面は、不具合の症状を確認するための質問及び当該質問に対する回答の選択肢
を表示する表示エリアＡ１０３を含む。問診サーバ１０の表示制御部１０２は、表示エリ
アＡ１０３に表示すべき質問及び選択肢を質問情報１０６ａから取得して受付端末２０に
送信する。また、表示制御部１０２は、受付端末２０の画面にて入力された選択肢に従っ
て、次に受付端末２０に表示すべき質問及び選択肢を質問情報１０６ａから取得して受付
端末２０に送信する。また、入力受付部１０３は、受付端末２０の画面にて質問及び選択
肢が表示されてから、受付端末２０にて回答の選択が行われるまでの応答時間（第１応答
時間）を測定し、選択された回答と測定した応答時間とを対応づけて履歴情報１０６ｃに
格納していく。
【００４０】
また、表示エリアＡ１０３は、現在の質問及び当該質問に対する回答の選択肢を表示す
る選択肢表示エリアＡ１０３ａ（第１領域）と、選択肢表示エリアＡ１０３ａに表示され
ている質問より前に表示された質問への回答を、回答を受け付けた順に並べて表示する回
答履歴表示エリアＡ１０３ｂ（第２領域）とを含む。図９（ｂ）の例では、選択肢表示エ
リアＡ１０３ａに３階層目の質問が表示されており、回答履歴表示エリアＡ１０３ｂには
、１階層目の質問に対する回答として「Ａ１：電源に関わること」が選択されたことと、
２階層目の質問に対する回答として「Ａ１−１：電源が入らない」が選択されたことが表
示されている。回答履歴表示エリアＡ１０３ｂを設けることで、顧客が回答した内容を過
去に遡って把握することが可能になり、顧客と店員との間の認識誤りや勘違い等が生じる
ことを抑制することができる。
【００４１】
全ての質問について回答が選択されると、図１０（ａ）に示すように、不具合の症状の
入力が完了したことの確認を促す表示エリアＡ１０４を含む画面に遷移する。表示エリア
Ａ１０４にも、回答履歴表示エリアＡ１０３ｂ（第２領域）が含まれている。顧客は、回
答の内容に誤りがある場合、回答履歴表示エリアＡ１０３ｂに表示される項目をタップす
ることで、再度回答を選択し直すことができる。「選択」ボタンＢ１０１が押下されると
、ステップＳ１３の処理手順に進む。
【００４２】
ステップＳ１３で、診断部１０４は、携帯端末３０のハードウェアに関する異常の有無
、及び携帯端末３０にインストールされたソフトウェアに関する異常の有無を診断する。
異常が発見されない場合、ステップＳ１４の処理手順に進む。異常が発見された場合、ス
テップＳ１５の処理手順に進む。
【００４３】
ステップＳ１４で、表示制御部１０２は、改善提案情報１０６ｂを検索することで、ス
テップＳ１２の処理手順で選択された回答の組み合わせパターンに対応する１以上の改善
提案を取得し、取得した改善提案を、改善提案番号が若い順に受付端末２０の出力デバイ
ス１５に表示させる。図１０（ｂ）に、改善提案を表示する画面の例を示す。当該画面は
、不具合の想定原因及び改善提案の内容を表示する表示エリアＡ１０５を含む。また、当
該画面には、改善提案に従って操作した場合に不具合が改善したことの入力を受け付ける
ボタンＢ１０２（第１オブジェクト）、改善提案に従って操作しても不具合が改善しない
ことの入力を受け付けるボタンＢ１０３（第２オブジェクト）、表示エリアＡ１０５に表
示された改善提案の操作手順を実施しないことの入力を受け付けるスキップボタンＢ１０
４（第３オブジェクト）、及び、改善提案の表示を中止して所定のサービスメニューの表
示に遷移させることの入力を受け付ける中止ボタンＢ１０５（第４オブジェクト）が表示
されている。なお、本実施形態では、改善提案の表示を中止して所定のサービスメニュー
の表示に遷移させることを、「提案を見る」と表現している。
【００４４】
店員は、顧客と共に、表示エリアＡ１０５に表示される操作手順に従って携帯端末３０
を操作することで、不具合が改善するか否かを確認する。不具合が改善した場合は、ボタ
ンＢ１０２を押下し、不具合が改善しない場合はボタンＢ１０３を押下する。ボタンＢ１
０３が押下された場合、表示制御部１０２は、次の改善提案を表示エリアＡ１０５に表示
させる。また、ボタンＢ１０２が押下された場合、次の改善提案を表示せずに、ステップ
Ｓ１５の処理手順に進む。
【００４５】
なお、表示制御部１０２は、改善提案を表示させてからボタン１０２、ボタン１０３及
びスキップボタン１０４のいずれかが押下されるまでの間、中止ボタンＢ１０５を押下で
きない状態としてもよい。この場合、表示制御部１０２は、ボタン１０２、ボタン１０３
又はスキップボタン１０４のいずれかが押下されてから所定の期間経過後に、次の画面（
次の改善提案や、所定のサービスメニュー等）を表示するようにしてもよい。
【００４６】
また、スキルが高い店員の中には、表示された改善提案を実行しても不具合が改善しな
いことを経験的に把握していることも想定される。この場合、店員は、スキップボタンＢ
１０４を押下することで次の改善提案を表示させることができる。スキップボタンＢ１０
４が押下された場合、表示制御部１０２は、次の改善提案を表示エリアＡ１０５に表示さ
せる。
【００４７】
また、改善提案の実施には時間を要することから、顧客によっては、改善提案を試さず
に、故障修理等のサービス対応を望む場合も想定される。このような状況に対応可能とす
るため、表示エリアＡ１０５には、改善提案の表示を中止して所定のサービスメニュー（
サービス案内）を表示するための中止ボタンＢ１０５が設けられている。中止ボタンＢ１
０５が押下された場合、表示制御部１０２は、ステップＳ１５の処理手順に進む。
【００４８】
また、入力受付部１０３は、受付端末２０の画面にて改善提案が表示されてから、受付
端末２０にてボタンＢ１０２、ボタンＢ１０３、ボタンＢ１０４及びボタンＢ１０５のい
ずれかが押下されるまでの応答時間（第２応答時間）を測定し、押下されたボタンに応じ
た対応結果と測定した応答時間とを対応づけて履歴情報１０６ｃに格納していく。例えば
、ボタンＢ１０２が押下された場合、図６に示すように、「回答内容／対応結果」カラム
に“Ｙｅｓ（改善した）”を記録する。ボタンＢ１０３が押下された場合、“Ｎｏ（改善
しない）”を記録する。ボタンＢ１０４が押下された場合、“ＳＫＩＰ（スキップ）”を
記録する。ボタンＢ１０５が押下された場合、“ＳＴＯＰ（中止）”を記録する。
【００４９】
ステップＳ１５で、表示制御部１０２は、サービス案内の内容を表示する画面を受付端
末２０に表示させる。図１１に、所定のサービスメニュー（サービス案内）を表示する画
面の一例を示す。表示エリアＡ１０６には、有償による修理の受付や、補償サービスを利
用して携帯端末３０の交換を行うといった、修理に関するサービスメニューが表示される
。ボタンＢ１０６が押下されると一連の処理が終了する。ボタンＢ１０７が押下されると
、ステップＳ１１の処理手順に戻り、問診を最初からやり直すことができる。なお、ボタ
ンＢ１０６又はボタンＢ１０７が押下された場合、対応を行った店員（スタッフ）の満足
度を顧客に入力させる画面を表示するようにしてもよい。入力された満足度は、例えば図
６に示す履歴情報１０６ｃにおいて「Ｑ９９（スタッフ満足度）」として記録される。
【００５０】
図１２は、改善提案を表示する画面の変形例を示す図である。図１２に示す画面は、問
診の進捗を表示する表示エリアＡ２０１と、想定される不具合の原因を一覧表示する表示
エリア（改善提案の選択を受け付ける選択エリアと称してもよい）Ａ２０２と、表示エリ
アＡ２０２で選択された不具合の原因に対する改善提案の内容を表示する表示エリアＡ２
０３とを含む。図１２（ａ）に示す表示エリアＡ２０２にて任意の不具合の原因が押下さ
れると、図１２（ｂ）に示すように、押下された不具合の原因に対応する改善提案の内容
が表示エリアＡ２０３に表示される。表示エリア２０２には、想定される不具合の原因が
、改善提案情報１０６ｂの「改善提案番号」が若い順に、上から並べて表示される。
【００５１】
また、図１２に示す画面には、改善提案に従って操作した場合に不具合が改善したこと
の入力を受け付けるボタンＢ２０２（第１オブジェクト）、改善提案に従って操作しても
不具合が改善しないことの入力を受け付けるボタンＢ２０３（第２オブジェクト）、表示
された改善提案の操作手順を実施しないことを受け付けるスキップボタンＢ２０４（第３
オブジェクト）、及び、改善提案の表示を中止して所定のサービスメニューの表示に遷移
させることを受け付ける中止ボタンＢ２０１（第４オブジェクト）が表示されている。中
止ボタンＢ２０１又はボタンＢ２０２が押下された場合、ステップＳ１５の処理手順に進
む（つまり図１１に示す画面に遷移する）。ボタンＢ２０３又はスキップボタンＢ２０４
が押下された場合、図１２（ａ）の画面に戻る。
【００５２】
入力受付部１０３は、受付端末２０の画面にて改善提案が表示されてから（図１２（ｂ
）に遷移してから）、受付端末２０にてボタンＢ２０１、ボタンＢ２０２、ボタンＢ２０
３及びボタンＢ２０４のいずれかが押下されるまでの応答時間（第２応答時間）を測定し
、押下されたボタンに応じた対応結果と測定した応答時間とを対応づけて履歴情報１０６
ｃに格納していく。「回答内容／対応結果」カラムに格納される情報は、図１０（ｂ）の
説明と同一であるため説明は省略する。
【００５３】
なお、表示制御部１０２は、選択エリアＡ２０２において操作手順を表示する改善提案
が選択されてから、ボタンＢ２０３又はボタンＢ２０４のいずれかが押下されるまでの間
、中止ボタンＢ２０１の押下が出来ない状態に遷移させる。つまり、図１２（ａ）の状態
である場合にのみ中止ボタンＢ２０１の押下を可能とし、図１２（ｂ）の状態では中止ボ
タンＢ２０１の押下が出来ない状態にする。これにより、店員が改善提案に沿った対応を
途中で中止してサービスメニューの表示に遷移させてしまうことを抑止し、表示された操
作手順を実施した場合における応答時間のデータを可能な限り収集するようにしている。
【００５４】
（表示順序の変更に関する動作例）
履歴情報１０６ｃには、携帯端末３０の機種ごとに、多く選択された回答及び各回答が
選択されるまでに要した応答時間が記録されている。履歴情報１０６ｃに多くのデータが
蓄積されることで、例えば、機種ＸについてＡ１−１−１（起動中画面が表示されない）
の選択肢よりもＡ１−１−２（起動中に画面が消える）の選択肢が選択される確率が高い
といった傾向が把握できることが想定される。このような場合、質問に対する回答の選択
肢を表示する場合、Ａ１−１−２（起動中に画面が消える）及びＡ１−１−１（起動中画
面が表示されない）の順に選択肢を表示する方が、操作性が向上すると想定される。
【００５５】
そこで、変更部１０５は、質問に対応する複数の回答の各々が選択された確率に基づい
て、当該複数の回答の表示順序を示す情報を変更するようにしてもよい。具体的には、変
更部１０５は、まず、履歴情報１０６ｃを分析することで、ある質問に対応する回答が選
択された確率が、当該ある質問に対応する複数の回答の選択肢の中で所定の確率以上であ
る回答が存在するか否かを判定する。続いて、変更部１０５は、選択された確率が所定の
確率以上である回答が存在すると判定した場合、当該回答が選択肢として上位に表示され
るように質問情報１０６ａに含まれる表示順序を示す情報を変更する。所定の確率はどの
ような確率であってもよいが、例えば９５％以上等であってもよい。例えば、上述の例で
は、変更部１０５は、Ａ１−１−１（起動中画面が表示されない）及びＡ１−１−２（起
動中に画面が消える）を、それぞれ、Ａ１−１−１（起動中に画面が消える）及びＡ１−
１−２（起動中画面が表示されない）に変更するようにしてもよい。また、他の方法とし
て、変更部１０５は、ある質問に対応する複数の回答の選択肢について、所定の期間内で
選択された回数が多い順に表示されるように、表示順序を示す情報を変更するようにして
もよい。
【００５６】
同様に、履歴情報１０６ｃには、携帯端末３０の機種ごとに、各改善提案が実行された
結果、不具合が改善したのか否かが記録されている。不具合が改善した確率が高い改善提
案については、改善提案を表示する画面（図１０（ｂ））において優先的に（他の改善提
案よりも先に）表示させる方が、操作性が向上すると想定される。同様に、改善提案を表
示する画面の変形例（図１２）の表示エリアＡ２０２においても、不具合が改善した確率
が高い改善提案に対応する想定原因を上位に（上段に）表示させる方が、操作性が向上す
ると想定される。
【００５７】
そこで、変更部１０５は、複数の改善提案の各々について不具合が改善した確率に基づ
いて、当該複数の改善提案の表示順序を示す情報を変更するようにしてもよい。具体的に
は、変更部１０５は、まず、履歴情報１０６ｃを分析することで、各々の改善提案につい
て、不具合が改善した確率（応答結果に「Ｙｅｓ（改善した）」が記録されている確率）
を算出する。続いて、変更部１０５は、不具合が改善した確率が高い順に改善提案が表示
されるように改善提案番号を変更する（より詳細には、不具合が改善した確率が高い順に
若番に変更する）。
【００５８】
＜まとめ＞
以上、実施形態について説明した。本実施形態によれば、店員は、不具合を訴える顧客
が来店した場合、顧客の携帯端末３０を受付端末２０に接続し、受付端末２０に表示され
る質問に対する回答を顧客にヒアリングしながら入力していくことで、店員自身のスキル
に関わらず、想定される不具合の原因の特定や改善策の提案を行うことが可能になる。ま
た、想定される不具合の原因の特定や改善策の提案が予め問診サーバ１０に組み込まれた
質問情報１０６ａ及び改善提案情報１０６ｂに従って行われることになるため、より正確
な問診を行うことが可能になる。
【００５９】
以上説明した実施形態は、本発明の理解を容易にするためのものであり、本発明を限定
して解釈するためのものではない。実施形態で説明したフローチャート、シーケンス、実
施形態が備える各要素並びにその配置、材料、条件、形状及びサイズ等は、例示したもの
に限定されるわけではなく適宜変更することができる。また、異なる実施形態で示した構
成同士を部分的に置換し又は組み合わせることが可能である。
【符号の説明】
【００６０】
１…問診装置、１０…問診サーバ、１１…ＣＰＵ、１２…記憶装置、１３…通信ＩＦ、
１４…入力デバイス、１５…出力デバイス、２０…受付端末、３０…携帯端末、１０１…
通信部、１０２…表示制御部、１０３…入力受付部、１０４…診断部、１０５…変更部、
１０６…ＤＢ、１０６ａ…質問情報、１０６ｂ…改善提案情報、１０６ｃ…履歴情報、２
０１…通信部、２０２…表示部、２０３…入力部
【図１】
2020191105.tif 000003
【図２】
2020191105.tif 000004
【図３】
2020191105.tif 000005
【図４】
2020191105.tif 000006
【図５】
2020191105.tif 000007
【図６】
2020191105.tif 000008
【図７】
2020191105.tif 000009
【図８】
2020191105.tif 000010
【図９】
2020191105.tif 000011
【図１０】
2020191105.tif 000012
【図１１】
2020191105.tif 000013
【図１２】
2020191105.tif 000014
【手続補正書】
【提出日】令和2年9月3日(2020.9.3)
【手続補正１】
【補正対象書類名】特許請求の範囲
【補正対象項目名】全文
【補正方法】変更
【補正の内容】
【特許請求の範囲】
【請求項１】
携帯端末の不具合に関する問診を行う問診装置であって、
携帯端末の不具合を切り分けるための質問及び該質問に対する回答の候補を含む質問情報と、携帯端末の不具合を改善するための複数の改善提案であって該複数の改善提案の各々が前記質問に対する回答の組み合わせパターンに対応づけられて格納される改善提案情報とを記憶する記憶部と、
前記質問情報から前記質問及び前記質問に対する回答の候補を取得して画面に表示し、前記画面に表示された前記質問に対する回答の候補の中から前記質問に対する回答の選択を受け付け、前記改善提案情報から、選択された前記質問に対する回答の組み合わせパターンに対応する１以上の改善提案を取得して前記画面に表示するＵＩ部と、
を有し、
前記ＵＩ部は、
前記１以上の改善提案のうち操作手順を表示した改善提案と、
該操作手順に従って操作した場合に不具合が改善したことの入力が行われたこと、該操作手順に従って操作しても不具合が改善しないことの入力が行われたこと、前記１以上の改善提案の表示を中止して所定のサービスメニューに遷移させることの入力が行われたこと、又は、表示された改善提案の操作手順を実施しないことの入力が行われたことと、
前記画面に前記操作手順が表示されてから、該操作手順に従って操作した場合に不具合が改善したこと、該操作手順に従って操作しても不具合が改善しないこと、前記１以上の改善提案の表示を中止して所定のサービスメニューに遷移させること、又は、表示された改善提案の操作手順を実施しないことの入力が行われるまでの応答時間と、
を対応づけて履歴情報に格納する、
問診装置。
【請求項２】
携帯端末の不具合に関する問診を行う問診装置であって、
携帯端末の不具合を切り分けるための質問及び該質問に対する回答の候補を含む質問情報と、携帯端末の不具合を改善するための複数の改善提案であって該複数の改善提案の各々が前記質問に対する回答の組み合わせパターンに対応づけられて格納される改善提案情報とを記憶する記憶部と、
前記質問情報から前記質問及び前記質問に対する回答の候補を取得して画面に表示し、前記画面に表示された前記質問に対する回答の候補の中から前記質問に対する回答の選択を受け付け、前記改善提案情報から、選択された前記質問に対する回答の組み合わせパターンに対応する１以上の改善提案を取得して前記画面に表示するＵＩ部と、
前記質問に対応する回答が選択された確率が、前記質問に対応する回答の候補の中で所定の確率以上である回答が存在するか否かを判定し、選択された確率が所定の確率以上である回答が存在すると判定した場合、前記画面において、該回答が回答の候補として上位に表示されるようにするために、前記質問情報に含まれる表示順序を変更する変更部と、
を有する問診装置。
【請求項３】
携帯端末の不具合に関する問診を行う問診装置が行う問診方法であって、
携帯端末の不具合を切り分けるための質問及び該質問に対する回答の候補を含む質問情報と、携帯端末の不具合を改善するための複数の改善提案であって該複数の改善提案の各々が前記質問に対する回答の組み合わせパターンに対応づけられて格納される改善提案情報と記憶部に記憶させるステップと、
前記質問情報から前記質問及び前記質問に対する回答の候補を取得して画面に表示し、前記画面に表示された前記質問に対する回答の候補の中から前記質問に対する回答の選択を受け付け、前記改善提案情報から、選択された前記質問に対する回答の組み合わせパターンに対応する１以上の改善提案を取得して前記画面に表示するステップと、
を含み、
前記表示するステップは、
前記１以上の改善提案のうち操作手順を表示した改善提案と、
該操作手順に従って操作した場合に不具合が改善したことの入力が行われたこと、該操作手順に従って操作しても不具合が改善しないことの入力が行われたこと、前記１以上の改善提案の表示を中止して所定のサービスメニューに遷移させることの入力が行われたこと、又は、表示された改善提案の操作手順を実施しないことの入力が行われたことと、
前記画面に前記操作手順が表示されてから、該操作手順に従って操作した場合に不具合が改善したこと、該操作手順に従って操作しても不具合が改善しないこと、前記１以上の改善提案の表示を中止して所定のサービスメニューに遷移させること、又は、表示された改善提案の操作手順を実施しないことの入力が行われるまでの応答時間と、
を対応づけて履歴情報に格納する、
問診方法。
【請求項４】
携帯端末の不具合に関する問診を行う問診装置が行う問診方法であって、
携帯端末の不具合を切り分けるための質問及び該質問に対する回答の候補を含む質問情報と、携帯端末の不具合を改善するための複数の改善提案であって該複数の改善提案の各々が前記質問に対する回答の組み合わせパターンに対応づけられて格納される改善提案情報と記憶部に記憶させるステップと、
前記質問情報から前記質問及び前記質問に対する回答の候補を取得して画面に表示し、前記画面に表示された前記質問に対する回答の候補の中から前記質問に対する回答の選択を受け付け、前記改善提案情報から、選択された前記質問に対する回答の組み合わせパターンに対応する１以上の改善提案を取得して前記画面に表示するステップと、
前記質問に対応する回答が選択された確率が、前記質問に対応する回答の候補の中で所定の確率以上である回答が存在するか否かを判定し、選択された確率が所定の確率以上である回答が存在すると判定した場合、前記画面において、該回答が回答の候補として上位に表示されるようにするために、前記質問情報に含まれる表示順序を変更するステップと、
を含む問診方法。
【請求項５】
携帯端末の不具合に関する問診を行うプログラムであって、
コンピュータを、
携帯端末の不具合を切り分けるための質問及び該質問に対する回答の候補を含む質問情報と、携帯端末の不具合を改善するための複数の改善提案であって該複数の改善提案の各々が前記質問に対する回答の組み合わせパターンに対応づけられて格納される改善提案情報とを記憶する記憶手段と、
前記質問情報から前記質問及び前記質問に対する回答の候補を取得して画面に表示し、前記画面に表示された前記質問に対する回答の候補の中から前記質問に対する回答の選択を受け付け、前記改善提案情報から、選択された前記質問に対する回答の組み合わせパターンに対応する１以上の改善提案を取得して前記画面に表示するＵＩ手段と、
して機能させ、
前記ＵＩ手段は、
前記１以上の改善提案のうち操作手順を表示した改善提案と、
該操作手順に従って操作した場合に不具合が改善したことの入力が行われたこと、該操作手順に従って操作しても不具合が改善しないことの入力が行われたこと、前記１以上の改善提案の表示を中止して所定のサービスメニューに遷移させることの入力が行われたこと、又は、表示された改善提案の操作手順を実施しないことの入力が行われたことと、
前記画面に前記操作手順が表示されてから、該操作手順に従って操作した場合に不具合が改善したこと、該操作手順に従って操作しても不具合が改善しないこと、前記１以上の改善提案の表示を中止して所定のサービスメニューに遷移させること、又は、表示された改善提案の操作手順を実施しないことの入力が行われるまでの応答時間と、
を対応づけて履歴情報に格納する、
プログラム。
【請求項６】
携帯端末の不具合に関する問診を行うプログラムであって、
コンピュータを、
携帯端末の不具合を切り分けるための質問及び該質問に対する回答の候補を含む質問情報と、携帯端末の不具合を改善するための複数の改善提案であって該複数の改善提案の各々が前記質問に対する回答の組み合わせパターンに対応づけられて格納される改善提案情報とを記憶する記憶手段と、
前記質問情報から前記質問及び前記質問に対する回答の候補を取得して画面に表示し、前記画面に表示された前記質問に対する回答の候補の中から前記質問に対する回答の選択を受け付け、前記改善提案情報から、選択された前記質問に対する回答の組み合わせパターンに対応する１以上の改善提案を取得して前記画面に表示するＵＩ手段と、
前記質問に対応する回答が選択された確率が、前記質問に対応する回答の候補の中で所定の確率以上である回答が存在するか否かを判定し、選択された確率が所定の確率以上である回答が存在すると判定した場合、前記画面において、該回答が回答の候補として上位に表示されるようにするために、前記質問情報に含まれる表示順序を変更する変更手段と、
して機能させるためのプログラム。